(57)【要約】【課題】複数の加熱手段を備えたキッチン用の加熱装置において、トッププレート上に調理容器を仮置き等ができるキッチン用の加熱装置を提供する。【解決手段】複数の加熱手段を備えたキッチン用の加熱装置１において、耐熱性を有するトッププレート３の上に複数の加熱手段を配置する第１領域が設けられるとともに、前記第１領域とは別に耐熱性を有するトッププレート３で形成された調理容器を載置できる第２領域が設けられてなる。【選択図】図２
2013079793.tif 000002
【特許請求の範囲】
【請求項１】
複数の加熱手段を備えたキッチン用の加熱装置において、耐熱性を有するトッププレートの上に複数の加熱手段を配置する第１領域が設けられるとともに、前記第１領域とは別に耐熱性を有するトッププレートで形成された調理容器を載置できる第２領域が設けられてなることを特徴とする加熱装置。
【請求項２】
前記耐熱性を有するトッププレートがキッチンカウンター内に配置されるとともに、少なくとも前記トッププレートで形成された第２領域と、キッチンカウンター領域とが、目視により識別可能に配設されていることを特徴とする請求項１に記載の加熱装置。
【請求項３】
前記耐熱性を有するトッププレートがキッチンカウンターと識別可能になっており、前記耐熱性を有するトッププレートの角部が円弧状に形成された一枚板により構成されてなることを特徴とする請求項１または２に記載の加熱装置。
【請求項４】
前記耐熱性を有するトッププレートがキッチンカウンターと識別可能になっており、前記耐熱性を有するトッププレートが複数に分離された状態で、キッチンカウンターに配置されてなることを特徴とする請求項１または２に記載の加熱装置。
【請求項５】
前記トッププレートの後方のガス加熱手段の斜め後方の少なくとも一方にはグリル排気用の排気口が設けられてなることを特徴とする請求項１ないし４のいずれかに記載の加熱装置。
【請求項６】
前記加熱手段はガスバーナであって、前記トッププレートのガスバーナの開口周囲は上方にせり上げられるとともに、前記排気口の周囲も上方にせり上げられることを特徴とする請求項１ないし５のいずれかに記載の加熱装置。
【請求項７】
前記ガスバーナの開口周囲の上方にせり上げられた部の周囲はトッププレートの面より低い凹状に形成されていることを特徴とする請求項１ないし６のいずれかに記載の加熱装置。
【発明の詳細な説明】
【技術分野】
【０００１】
本発明は、複数の加熱手段（ガス、電気、磁場等）を備えたユニットとしての加熱装置、もしくはキッチンに配された台（キッチンカウンター等）の上面に複数の加熱手段（ガス、電気、磁場等）が配置されている加熱装置に関する。
【背景技術】
【０００２】
従来、加熱手段としてガス、電気、磁場等を利用した加熱装置が存在するが、例えば複数の加熱手段（ガス）を備えた移動可能な加熱装置として、図１０に示すような加熱装置がある。この種の加熱装置はその上面にステンレスや耐熱樹脂等で構成された耐熱性を有するトッププレート３１が配置されており、その上に複数のガスコンロが配置されている。加熱装置は、例えば人工大理石等で覆われたキッチンカウンター３０にトッププレート３１が隣接するように配置され、このトッププレート３１の右手前にはハイカロリー用のバーナ３２、左手前には標準カロリー用のバーナ３３、中央奥には小カロリー用のバーナ３４が搭載され、奥の左右に排気口３５を備え、トッププレート３１の手前に各バーナを操作し、表示するための操作表示部３６が配置されている（以下、「従来技術１」という。例えば、特許文献１参照）。
【０００３】
さらに、加熱調理器のトッププレート上に複数の加熱手段を備えた加熱調理器として、図１１に示すように、本体４０の内部冷却用の吸気口（図示せず）が本体４０の前面に設けられ、排気口４３が奥側の左に配置され、トッププレート４１上の複数の加熱手段４２ａ〜４２ｃのうち最後方に位置する加熱手段４２ｃが本体の左右方向中心からずれた位置で、かつ排気口４３の略隣に配設され、本体手前側左右に設けられた加熱手段４２ａ，４２ｂが前後にずれて配置されたものが知られている（以下、「従来技術２」という。例えば、特許文献２参照）。
【０００４】
しかしながら、従来技術１の加熱装置は、排気口３５を左右に分割してその中央に小カロリー用のバーナ３４を配置するなどして、矩形状のトッププレート３１に、３個のバーナ、排気口３５および操作表示部３６を効率よく配置する点に特徴を有するものであり、トッププレート３１上に調理容器を置くことについてまで考慮されていないため、トッププレート３１上に調理容器を仮置きするスペースがないという問題があった。
【０００５】
また、従来技術２の加熱調理器は、複数の加熱手段４２ａ〜４２ｃ上に複数の調理容器を置いて調理をする場合の調理容器同士の干渉による鍋ずれからなる加熱ムラを防ぐことを目的としたものであって、トッププレート上に調理容器を置くことについては考慮されていないため、トッププレート上に調理容器を置く余裕がなく、調理容器の仮置きをすることができないという問題があった。
【先行技術文献】
【特許文献】
【０００６】
【特許文献１】特開２００７−１３９３１２号公報
【特許文献２】特開２０１０−６０１７１号公報
【発明の概要】
【発明が解決しようとする課題】
【０００７】
本発明は、上記のような従来技術の問題点を解決するためになされたもので、複数の加熱手段を備えたキッチン用の加熱装置において、トッププレート上に調理容器を仮置き等ができるキッチン用の加熱装置を提供することを目的とする。
【課題を解決するための手段】
【０００８】
前記課題を解決するために、本発明の加熱装置は、
複数の加熱手段を備えたキッチン用の加熱装置において、耐熱性を有するトッププレートの上に複数の加熱手段を配置する第１領域が設けられるとともに、前記第１領域とは別に耐熱性を有するトッププレートで形成された調理容器を載置できる第２領域が設けられてなることを特徴としている。
この特徴によれば、加熱手段の高温部位にあたる第１領域とは別に、耐熱性を有するトッププレートで形成された第２領域が設けられているため、調理容器の温度に係らずに調理容器を載置できる専用の載置場所を確保できることになる。
【０００９】
本発明の加熱装置は、
前記耐熱性を有するトッププレートがキッチンカウンター内に配置されるとともに、少なくとも前記トッププレートで形成された第２領域と、キッチンカウンター領域とが、目視により識別可能に配設されていることを特徴としている。
この特徴によれば、調理容器の載置が容易に認識できるため、比較的耐熱性の落ちるキッチンカウンターへの高温状態の調理容器の載置を防止できることになる。
【００１０】
本発明の加熱装置は、
前記耐熱性を有するトッププレートがキッチンカウンターと識別可能になっており、前記耐熱性を有するトッププレートの角部が円弧状に形成された一枚板により構成されてなることを特徴としている。
この特徴によれば、トッププレートの角部が円弧状に形成された一枚板で構成されており、人工大理石などで形成されたキッチンカウンターとの継ぎ目部分に対し連続してシールを施すことができるため、キッチンカウンターとトッププレートとの密閉性を高めることができる。
【００１１】
本発明の加熱装置は、
前記耐熱性を有するトッププレートがキッチンカウンターと識別可能になっており、前記耐熱性を有するトッププレートが複数に分離された状態で、キッチンカウンターに配置されてなることを特徴としている。
この特徴によれば、キッチンカウンターの設計においてデザイン性を向上できるばかりか、トッププレートの使用量を最少化できることになる。
【００１２】
本発明の加熱装置は、
前記トッププレートの後方のガス加熱手段の斜め後方の少なくとも一方にはグリル排気用の排気口が設けられてなることを特徴としている。
この特徴によれば、排気口を設けるスペースを別途用意することなく、排気口を加熱手段の周囲に効率よく配置できるので、仮置きスペースを確保しつつ、トッププレートの面積を比較的小さくできる。
【００１３】
本発明の加熱装置は、
前記加熱手段はガスバーナであって、前記トッププレートのガスバーナの開口周囲は上方にせり上げられるとともに、前記排気口の周囲も上方にせり上げられることを特徴としている。
この特徴によれば、調理中に煮こぼれが発生しても、煮汁がガスバーナおよび排気口に浸入することを防止できる。
【００１４】
本発明の加熱装置は、
前記ガスバーナの開口周囲の上方にせり上げられた部の周囲はトッププレートの面より低い凹状に形成されていることを特徴としている。
この特徴によれば、煮こぼれがあっても凹状部で捕集することができ、ガスバーナに煮汁が及ぶことを防止できる。
【図面の簡単な説明】
【００１５】
【図１】本発明の実施例１における加熱装置の斜視図である。
【図２】本発明の実施例１における加熱装置のトッププレートの形状並びに加熱手段及び排気口の位置を示す平面図である。
【図３】本発明の実施例２における加熱装置のトッププレートの形状並びに加熱手段及び排気口の位置を示す平面図である。
【図４】本発明の実施例３における加熱装置のトッププレートの形状並びに加熱手段及び排気口の位置を示す平面図である。
【図５】本発明の実施例４における加熱装置のトッププレートの形状並びに加熱手段及び排気口の位置を示す平面図である。
【図６】本発明の実施例５における加熱装置のトッププレートの形状並びに加熱手段及び排気口の位置を示す平面図である。
【図７】本発明の実施例６における加熱装置のトッププレートの形状並びに加熱手段及び排気口の位置を示す平面図である。
【図８】本発明における加熱手段に電磁加熱手段を利用した変形例を示す平面図である。
【図９】本発明の実施例１〜７における加熱手段の付近を示す側面断面図である。
【図１０】従来技術１を示す平面図である。
【図１１】従来技術２を示す平面図である。
【発明を実施するための形態】
【００１６】
以下、本発明に係る加熱装置を実施するための形態を図面を参照しながら詳細に説明するが、本発明はこれに限定されて解釈されるものではなく、本発明の範囲を逸脱しない限りにおいて、当業者の知識に基づいて、種々の変更、修正、改良を加えうるものである。
【実施例１】
【００１７】
図１は、本発明の実施の形態１における加熱装置の斜視図であり、図２は本発明の実施例１における加熱装置のトッププレートの形状並びに加熱手段及び排気口の位置を示す平面図である。
【００１８】
図１において、加熱装置１は、ガスバーナからなるガス加熱手段４ａ〜４ｃ、グリル２０、混合管（図示せず）、などを備える加熱ユニットを、キッチン台正面側から挿入した後、人工大理石などから製作されるキッチンカウンター２に設けられた開口部上方より、主にステンレスなどの金属あるいは耐熱ガラスなどから製作されるトッププレート３が取り付けられて構成されている。なおトッププレート３には予め排気口５やバーナヘッド部７が貫通する孔が形成されている。
【００１９】
本実施例の加熱装置１は、トッププレート３上には、３つのガス加熱手段４ａ〜４ｃ及びグリル排気用の排気口５が備えられており、鍋底センサ６、バーナヘッド部７、及びバーナヘッド部７の下方に接続される混合管（図示されていない）などを備えるものであるが、その詳細な説明は省略する。図１では、前方右側のガス加熱手段４ａは大火力バーナを、前方左側のガス加熱手段４ｂは標準火力バーナを、そして後方のガス加熱手段４ｃは小火力バーナを示しているが、これに限定されることなく、自由に配置することができる。
【００２０】
また、本実施例において加熱装置１は、加熱ユニットとトッププレート３が別々になっており、キッチン台に加熱ユニットを取り付けた後、その上からトッププレート３を覆うように取り付けられる態様で示されているが、本発明はこの限りではなく、ガスバーナ、グリル２０、混合管（図示せず）、トッププレート３を一体にしたユニットとして、既設のキッチン台に載置するものであってもよい。
【００２１】
排気口５は、トッププレート３を貫通する複数の貫通孔が所定の範囲に設けられて構成されており、図１においては、横長の矩形をした排気口５が後方のガス加熱手段４ｃの斜め後方の両側に設けられている。排気口５は、従来の排気口に比べて縦及び横の寸法が小さく設定されている。さらに、トッププレート３の上面には、五徳８が、ガス加熱手段４ａ〜４ｃの周囲に配置されている。
【００２２】
図２に示されるように、トッププレート３は４隅が円弧状をなし、前縁及び後縁は略直線状であり、両側縁は内側にやや窪んだ滑らかな曲線状をし、全体としては左右方向に張出部を有する非矩形状の一枚板により形成されている。このような形状のトッププレート３には、前方に２つのガス加熱手段４ａ、４ｂが、又、後方の中央に１つのガス加熱手段４ｃが配置され、後方のガス加熱手段４ｃの斜め後方の両側には排気口５が配置された構成となっている。
【００２３】
そして複数の加熱手段４ａ、４ｂ、４ｃは、それぞれトッププレート３に設けられた複数の加熱スペース２２（第１領域）上に配置されている。さらに、トッププレート３上には前記加熱スペース２２とは別に、調理容器を載置できる仮置きスペース９、９（第２領域）が設けられている。このように、加熱装置１上に加熱手段の高温部位にあたる加熱スペース２２とは別に、耐熱性を有するトッププレート３で形成された仮置きスペース９、９が設けられることになるため、調理容器の温度に係らずに調理容器を載置できる専用の載置場所を確保できることになる。
【００２４】
続いて図２を用いて、トッププレート３の前方後方におけるガス加熱手段の配置および総面積の設定について説明する。なお、ここではトッププレート３を前後に略二等分に分かつ仮想線Ｖの紙面下方を前方、紙面上方を後方として説明する。
【００２５】
図２に示されるように、トッププレート３上の前方に設けられたガス加熱手段の数は後方に設けられたガス加熱手段の数より多くなっており、またトッププレートの後側の総面積が前側より大きくなるように形成されている。そのため、ガス加熱手段同士の距離を最大限大きくすることができるとともに、トッププレート３の後方には、鍋などの調理容器を仮置きできる仮置きスペースを確保することができる。また、調理容器をトッププレートの後方に仮置きするため、前方のガス加熱手段を使って調理する際に仮置きした調理容器が邪魔になることがない。なお、トッププレート３上の前方に設けられたガス加熱手段の数は後方に設けられたガス加熱手段の数より多い態様で説明しているが、本実施例はその限りでなく、トッププレート３上の前方に設けられたガス加熱手段の数が後方に設けられたガス加熱手段の数と同じかそれ以上であればよく、さらにはトッププレート３が略台形に形成されており、後方に設けられるガス加熱手段の数が前方に設けられたガス加熱手段の数より多くなっており、前方に鍋などの調理容器を仮置きできる仮置きスペースを確保する態様としても良い。
【００２６】
図２のように配置された場合の寸法関係の一例を説明すると、前方のガス加熱手段４ａ、４ｂのそれぞれに直径２８ｃｍのフライパンなどが載置可能なようにトッププレート３の前側の幅ｂ１を６８ｃｍとし、後方のガス加熱手段４ｃに直径２２ｃｍの鍋が載置可能なように前方のガス加熱手段４ａ、４ｂと後方のガス加熱手段４ｃとの中心間距離ｌを２３．５ｃｍとし、後方のガス加熱手段４ｃの４５°斜め後方の両側に横幅が１０ｃｍの排気口５を設けるとした場合、トッププレート３の後側の幅ｂ２を８０ｃｍ程度に設定すると、後方のガス加熱手段４ｃの両側には、直径２２ｃｍの鍋などの調理容器を仮置きできる仮置きスペース９、９が確保可能となる。すなわち、トッププレート３の後側の幅ｂ２を前側の幅ｂ１の１．２倍弱広くしただけで、直径２２ｃｍの鍋などの調理容器を２つ仮置きできる仮置きスペース９、９が確保される。
【００２７】
また、トッププレート３が加熱スペース２２および仮置きスペース９、９を効率的に配置可能な角部が円弧状に形成された一枚板で構成されており、人工大理石などで形成されたキッチンカウンターとの継ぎ目部分に対し連続してシールを施すことができるため、キッチンカウンターとトッププレート３との密閉性を高めるられるようになっている。また、加熱スペース２２および仮置きスペース９、９を効率的に配置できるため、無駄なスペースを減らし、キッチンカウンターの設計の自由度を増すことができるとともに、キッチンカウンターの設計においてデザイン性を向上できる。
【００２８】
また、図２に示すように、加熱スペース２２と仮置きスペース９、９とが隣接して設けられているため、加熱手段のある加熱スペース２２のすぐ隣に調理容器を載置できる仮置きスペース９、９が位置するため、鍋等の調理容器の移動が極めて容易となり、調理容器の転倒や傾動を防止できる。
【００２９】
さらに図２に示すように、トッププレート３がキッチンカウンターに隣接するように配置されるとともに、トッププレート３で形成された仮置きスペース９、９と、比較的耐熱性の落ちるキッチンカウンター領域とが、目視により識別可能に配設されるようになっている。すなわち、トッププレート３はキッチンカウンターと識別するために、それぞれが別々の色に着色されており、調理容器の載置が容易に認識できるため、比較的耐熱性の落ちるキッチンカウンターへの高温状態の調理容器の載置を防止できる。
【００３０】
なお、ここではトッププレート３とキッチンカウンターとの識別に、色分けを施して説明してあるが、本発明はこの限りでなく、たとえば、トッププレート３とキッチンカウンターの境界に線または凹凸を設けるなどして識別可能になっていてもよい。
【００３１】
また、従来の排気口はグリルの下方にオプションとして設けられるオーブンの排気をも排出するため、排気口を大きくせざるを得なかったが、本発明においては、オーブン無し専用の仕様としているため、排気口を小さくすることができる。そのため、排気口を加熱手段の周囲に効率よく配置できるので、加熱手段同士の距離を最大限大きくすることができるとともに、十分に仮置きスペース９、９を確保できる。
【実施例２】
【００３２】
図３は、本発明の実施の形態２における加熱装置のトッププレートの形状並びにガス加熱手段及び排気口の位置を示す平面図であり、図３において、図２と同じ符号は図２と同じ部材を示しており、詳しい説明は省略する。
【００３３】
図３に示すように、トッププレート３の平面視における形状は図２と同じであり、後側の面積が前側より大きく形成されている。また、トッププレート３の前方には２つのガス加熱手段４ａ、４ｂが、又、後方の左側には１つのガス加熱手段４ｃが配置され、後方のガス加熱手段４ｃの斜め後方の右側には排気口５が配置された構成となっている。図３のように配置された場合、後方の中央及び右側には、鍋などの調理容器を仮置きできる仮置きスペース９、９を隣接して複数確保できる。
【実施例３】
【００３４】
図４は、本発明の実施の形態３における加熱装置のトッププレートの形状並びにガス加熱手段及び排気口の位置を示す平面図であり、図４において、図２と同じ符号は図２と同じ部材を示しており、詳しい説明は省略する。
【００３５】
図４に示すように、トッププレート３の前方には１つのガス加熱手段４ａが、又、後方の右側には１つのガス加熱手段４ｃが配置され、後方のガス加熱手段４ｃの斜め後方の左側には排気口５が配置された構成となっている。トッププレート３の面積は図２より小さく、４隅が円弧状をなし、前縁及び後縁は略直線状であり、両側縁は内側にやや窪んだ滑らかな曲線状をし、全体としては、略逆台形の形状をしており、後側の面積が前側より大きく形成されている。図４のように配置された場合、加熱スペース２２と仮置きスペース９とが隣接するため、鍋等の調理容器の移動が極めて容易となり、調理容器の転倒や傾動を防止できる。
【実施例４】
【００３６】
図５は、本発明の実施の形態４における加熱装置のトッププレートの形状並びにガス加熱手段及び排気口の位置を示す平面図であり、図５において、図２と同じ符号は図２と同じ部材を示しており、詳しい説明は省略する。
【００３７】
図５に示すように、トッププレート３は複数個からなり、その内、ガス加熱手段が装着されている中央に位置するトッププレート３は、４隅が円弧状をなし、前縁及び後縁は略直線状であって後縁の長さが前縁に比べて短く、両側縁は後方に向かってやや内側に窪みをもって滑らかに狭まるような曲線状をし、全体としては、略台形の形状をしている。また、中央に位置するトッププレート３の後方の両側には、中央に位置するトッププレート３に隣接するようにして、仮置きスペースとしてのトッププレート３がそれぞれ設けられている。仮置きスペースとしてのトッププレート３の形状は円形状に限らず、楕円、星形など、鍋などの調理容器を載置できる形状であればよい。また、大きさも、鍋などの調理容器を載置できるものであればよい。
【００３８】
中央に位置するトッププレート３には、前方に２つのガス加熱手段４ａ、４ｂが、又、後方の中央に１つのガス加熱手段４ｃが配置され、後方のガス加熱手段４ｃの斜め後方の両側には排気口５が配置された構成となっている。
【００３９】
このように、耐熱性を有するトッププレート３が複数に分離された状態で、キッチンカウンターに配置されているため、キッチンカウンターの設計においてデザイン性を向上できるばかりか、トッププレートの使用量を最少化できることになる。また、仮置きスペース９、９が独立して配置されているため、調理容器の置き場所を容易に判別できることになる。
【実施例５】
【００４０】
図６は、本発明の実施の形態５における加熱装置のトッププレートの形状並びにガス加熱手段及び排気口の位置を示す平面図であり、図６において、図２と同じ符号は図２と同じ部材を示しており、詳しい説明は省略する。
【００４１】
図６に示すように、トッププレート３で形成された加熱スペース２２および仮置きスペース９、９が、キッチンカウンター上にそれぞれ複数に独立して配置されている。ガス加熱手段４ｃの斜め後方の両側には排気口５を配置可能な変形部分が設けられ、それぞれに排気口５が配置されている。なお、本実施例では加熱手段４ｃと排気口５が同じトッププレート３に配置されているが、本発明はこの限りではなく、たとえば加熱手段４ｃを配置するトッププレートと、排気口５を配置するトッププレート３を別々に分離して構成されるものであってもよい。
【００４２】
このように、耐熱性を有するトッププレート３が複数に分離された状態で、キッチンカウンターに配置されているため、キッチンカウンターの設計においてデザイン性を向上できるばかりか、トッププレートの使用量を最少化できることになる。
【実施例６】
【００４３】
図７は、本発明の実施の形態６における加熱装置のトッププレートの形状並びにガス加熱手段及び排気口の位置を示す平面図であり、図７において、図２と同じ符号は図２と同じ部材を示しており、詳しい説明は省略する。
【００４４】
トッププレート３の前方にはガス加熱手段４ａ、４ｂと、それに隣接するように仮置きスペース９が配置され、後方にはガス加熱手段４ｃと、それに隣接するように２つの仮置きスペース９、９が設けられている。またトッププレート３は４隅が円弧状をなし、略平行四辺形の形状をしている。
【００４５】
このように、仮置きスペース９をキッチンカウンターの後方に設けるだけでなく、前方にも設けることにより、調理容器を仮置きできるスペースを増やすことができることになる。また、ここでは仮置きスペース９を前方に１つ、後方に２つ設ける態様で説明しているが、本発明はこの限りではなく、例えば仮置きスペース９を前方に２つ、後方に１つ設けるなど、多様の構成が可能である。
【００４６】
本発明における加熱手段は、ガスによるガス加熱手段として説明しているが、本発明はこの限りではなく、たとえば図８に示すように加熱手段に電磁加熱手段１４ａ、１４ｂ、１４ｃを用いて構成されるものであってもよい。また、本発明における加熱手段にヒーターによる伝熱加熱手段などを用いる態様であってもよいことは言うまでもない。
【００４７】
図９は、本発明の実施の形態１〜４におけるガス加熱手段の付近を示す側面断面図であり、ガス加熱手段としてのガスバーナが概略示されている。バーナヘッド部７は、トッププレート３よりも上方に露出して配置され、バーナヘッド部７の下方にはトッププレート３の下方に配置された混合管１０が接続されている。また、バーナヘッド部７の周囲には、トッププレート３に支持されて五徳８が配置されている。
【００４８】
バーナヘッド部７の外周部には、トッププレート３の開口縁部１１が上方にせり上り、かつ、延長されて直接接続される構造となっている。このため、従来設けられていた環状のバーナリングは省略されている。また、トッププレート３の開口縁部１１とバーナヘッド部７の外周部とは図示しないパッキンを介して水密に固定されている。
【００４９】
さらに、上方にせり上げられた開口縁部１１の外周部はトッププレートの上面より低くへこんだ凹状とされ、この凹状部１２が露出するバーナヘッド部７の外周部に接続された開口縁部１１を囲んだ形となっている。このため、調理中に煮こぼれが発生しても、煮汁を凹状部で捕集することができ、煮汁のガスバーナおよび排気口への浸入を防止できる
【００５０】
以上説明したように、本発明の加熱装置によれば、耐熱性を有するトッププレート上に鍋などの調理容器を仮置きできる仮置きスペースが確保できることから、キッチンカウンター上に鍋敷きなどを別途用意することなく、加熱された調理容器を仮置きでき、大変便利である。
【００５１】
以上、本発明の実施形態を図面により説明してきたが、具体的な構成はこれら実施形態に限られるものではなく、本発明の要旨を逸脱しない範囲における変更や追加があっても本発明に含まれる。
【符号の説明】
【００５２】
１                加熱装置
２                キッチンカウンター
３                トッププレート
４                ガス加熱手段
５                排気口
６                鍋底センサ
７                バーナヘッド部
８                五徳
９                仮置きスペース（第２領域）
１０              混合管
１１              トッププレートの開口縁部
１２              凹状部
２０              グリル
２２              加熱スペース（第１領域）
【図１】
2013079793.tif 000003
【図２】
2013079793.tif 000004
【図３】
2013079793.tif 000005
【図４】
2013079793.tif 000006
【図５】
2013079793.tif 000007
【図６】
2013079793.tif 000008
【図７】
2013079793.tif 000009
【図８】
2013079793.tif 000010
【図９】
2013079793.tif 000011
【図１０】
2013079793.tif 000012
【図１１】
2013079793.tif 000013